(57)【要約】【課題】調理容器に収容されている液体が飛び跳ねてしまうことを抑制することができる調理器を提供することを目的としている。【解決手段】本体と、開口部を含み、本体に取り付けられ、食材を収容する調理容器と、調理容器の開口部に設けられ、調理容器を閉塞する閉塞手段と、調理容器内の圧力を上昇させるように構成されている圧力変更手段と、を備え、圧力変更手段は、圧力の上昇速度を、第１の上昇速度と、第１の上昇速度よりも圧力の上昇速度が高い第２の上昇速度とに、切替自在に構成されている。【選択図】図１Ａ
2018138084.tif 000002
【特許請求の範囲】
【請求項１】
本体と、
開口部を含み、前記本体に取り付けられ、食材を収容する調理容器と、
前記調理容器の開口部に設けられ、前記調理容器を閉塞する閉塞手段と、
前記調理容器内の圧力を上昇させるように構成されている圧力変更手段と、
を備え、
前記圧力変更手段は、前記圧力の上昇速度を、第１の上昇速度と、前記第１の上昇速度よりも前記圧力の上昇速度が高い第２の上昇速度とに、切替自在に構成されている
ことを特徴とする調理器。
【請求項２】
前記閉塞手段は、前記調理容器内と前記調理容器外とを連通する通気孔を含み、
前記圧力変更手段は、前記通気孔に設けられた調圧弁と、前記調圧弁の開度を変える駆動部とを含み、
前記駆動部は、前記調圧弁の開度を変えて前記圧力の上昇速度を切り替える
ことを特徴とする請求項１に記載の調理器。
【請求項３】
前記調圧弁の開度が全閉であるときの前記調圧弁の開度を第１の開度とし、
前記調圧弁の開度が全開であるときの前記調圧弁の開度を第２の開度とし、
前記第１の開度よりも大きく前記第２の開度よりも小さい前記調圧弁の開度を第３の開度としたとき、
前記駆動部は、前記調圧弁の開度を、前記第１の開度と前記第２の開度と前記第３の開度とに、切替可能に構成されている
ことを特徴とする請求項２に記載の調理器。
【請求項４】
前記駆動部は、前記調圧弁の位置を変えて、前記調圧弁の開度を変える
ことを特徴とする請求項２又は３に記載の調理器。
【請求項５】
前記駆動部は、前記調圧弁の上下方向の位置を変えて、前記調圧弁の開度を変える
ことを特徴とする請求項２又は３に記載の調理器。
【請求項６】
前記調理容器内の前記圧力を低下させるポンプを更に備え、
前記調圧弁の開度を全閉としている状態で、前記ポンプが駆動して前記調理容器内の前記圧力を負圧にする
ことを特徴とする請求項２〜５のいずれか一項に記載の調理器。
【請求項７】
前記圧力を第１の圧力から前記第１の圧力よりも高い第２の圧力へ上昇させるときにおいて、
前記圧力変更手段は、
前記第１の圧力から前記第１の圧力よりも高く前記第２の圧力よりも低い第３の圧力まで前記圧力を上昇させるときには、前記圧力の上昇速度を前記第１の上昇速度とし、
前記第３の圧力から前記第２の圧力まで前記圧力を上昇させるときには、前記圧力の上昇速度を前記第２の上昇速度とする
ことを特徴とする請求項１〜６のいずれか一項に記載の調理器。
【請求項８】
前記圧力変更手段は、前記調理容器を加熱し、前記圧力の上昇速度を切り替える加熱手段を更に含む
ことを特徴とする請求項１〜７のいずれか一項に記載の調理器。
【発明の詳細な説明】
【技術分野】
【０００１】
本発明は、調理器に関し、特に、調理器の調理容器内の圧力を減圧する機能を有する調理器に関する。
【背景技術】
【０００２】
特許文献１には、密閉された調理空間を有する調理容器を備えた調理器が記載されている。この調理器の調理容器には、例えば食材及び調味液が収容される。なお、調味液は、食材の調味をするための液体である。特許文献１に記載された調理器は、調理容器内の圧力を、負圧に減圧した後に常圧に戻す工程を連続して繰り返す。これにより、特許文献１の調理器では食材に調味液を浸透させている。
【先行技術文献】
【特許文献】
【０００３】
【特許文献１】特開２００８−７３３０９号公報
【発明の概要】
【発明が解決しようとする課題】
【０００４】
調理容器内の圧力を負圧に減圧した後に常圧に戻すと、調理容器に収容されている液体が飛び跳ねてしまう場合がある。この液体が飛び跳ねると、液体とともに調理容器内に収容されている食材が跳ねてしまい、食材が崩れて形が悪くなることがある。また、調理容器に収容されている液体が飛び跳ねると、調理容器の側壁及び蓋の下面等に液体が付着し、調理容器及び蓋等が汚れてしまうことがある。
【０００５】
本発明は、上記のような課題を解決するためになされたものであり、調理容器に収容されている液体が飛び跳ねてしまうことを抑制することができる調理器を提供することを目的としている。
【課題を解決するための手段】
【０００６】
本発明に係る調理器は、本体と、開口部を含み、本体に取り付けられ、食材を収容する調理容器と、調理容器の開口部に設けられ、調理容器を閉塞する閉塞手段と、調理容器内の圧力を上昇させるように構成されている圧力変更手段と、を備え、圧力変更手段は、圧力の上昇速度を、第１の上昇速度と、第１の上昇速度よりも圧力の上昇速度が高い第２の上昇速度とに、切替自在に構成されている。
【発明の効果】
【０００７】
本発明によれば、上記構成を備えているので、調理容器に収容されている液体が飛び跳ねてしまうことを抑制することができる。
【図面の簡単な説明】
【０００８】
【図１Ａ】実施の形態の調理器を模式的に示す断面図である。
【図１Ｂ】実施の形態の調理器の本体及び調理容器を模式的に示す断面図である。
【図１Ｃ】実施の形態の調理器の外蓋及び内蓋等を模式的に示す断面図である。
【図２】実施の形態の調理器の調圧部の説明図である。
【図３】実施の形態の調理器のシステム構成の概略を示す図である。
【図４】実施の形態の調理器が備える染み込みモードの説明図である。
【図５】実施の形態の調理器が備える真空保存モードの説明図である。
【図６】調理容器内の圧力を負圧から常圧に戻す場合に、調理容器内の圧力の上昇速度を変えることを説明する図である。
【図７】調圧部によって調理容器内の圧力を上昇させる場合、及び、加熱コイルによって調理容器内の圧力を上昇させる場合を説明する図である。
【図８】制御装置の構成例を示す図である。
【発明を実施するための形態】
【０００９】
以下、添付の図面を参照して、本発明の実施の形態について説明する。各図における同一の符号は、同一の部分または相当する部分を示す。本開示では、重複する箇所については適宜に簡略化又は省略する。なお、本開示は、以下の実施の形態で説明する構成のうち、組み合わせ可能な構成のあらゆる組み合わせを含み得るものである。また、本開示の図面では、各構成部材の大きさ及び各構成部材の形状は、説明のために便宜的に示しており、その大きさ及び形状に限らない。
【００１０】
実施の形態．
図１Ａは、実施の形態の調理器１００を模式的に示す断面図である。図１Ｂは、実施の形態の調理器１００の本体１及び調理容器２を模式的に示す断面図である。図１Ｃは、実施の形態の調理器１００の外蓋及び内蓋等を模式的に示す断面図である。図１Ｂでは、説明の便宜上、本体１と調理容器２とを離した状態で示している。図１Ｃでは、説明の便宜上、内蓋７と外蓋８とを離した状態で示している。また、図１Ｃでは、説明の便宜上、ポンプ１４及び圧力センサ１８の図示を省略している。
【００１１】
実施の形態では、調理器１００に収容する収容物を食材と称する。食材は、例えば肉、魚及び野菜である。また、実施の形態では、食材に例えば味付けをするために調理器１００に収容する収容物を調味液と称する。調味液は、例えば調味料及び水である。調理器１００は、食材を調理するモードとして、染み込みモード及び真空保存モードを備えている。
【００１２】
調理器１００は、本体１と、調理容器２と、内蓋７と、外蓋８と、調圧部１２と、パッキン１３Ａ〜１３Ｄとを備える。また、調理器１００は、ポンプ１４と、操作表示部１５と、カートリッジ２０とを備える。更に、調理器１００は、制御装置１６（図３参照）と、圧力センサ１８と、カバー１９とを備える。本体１は、筐体３と、加熱コイル４と、温度センサ５と、圧縮バネ６とを備える。なお、調圧部１２は本発明における圧力変更手段に対応する。また、ポンプ１４は本発明における減圧手段に対応する。
【００１３】
調理容器２は、有底の鍋状部材である。調理容器２は、底部２Ａと周面部２Ｂとを有している。底部２Ａは、調理容器２の下部に位置している。周面部２Ｂは、例えば円筒形状をしている。周面部２Ｂには、側壁２Ｂ１が形成されている。調理容器２の上部には、開口部２Ｃが形成されている。調理容器２の上部には、開口部２Ｃの外側に配置されているフランジ２Ｄが形成されている。調理容器２は、本体１の筐体３に取り付けられている。調理容器２は、筐体３とは一体ではなく、筐体３から取り外すことができる。なお、調理容器２と筐体３とは一体であってもよい。
【００１４】
筐体３は、筐体３の外側表面が形成されている外郭部３Ａと、外郭部３Ａよりも内側に配置されている凹状部３Ｂとを有している。凹状部３Ｂには、調理容器２が載置される。筐体３の上部には、開口部３Ｃが形成されている。外郭部３Ａと凹状部３Ｂとの間には、加熱コイル４等が配置される中空部３Ｄが形成されている。凹状部３Ｂには、底部３Ｂ１と、底部３Ｂ１に形成された孔部３Ｂ２とを有している。底部３Ｂ１は、筐体３に調理容器２が取り付けられている状態において、調理容器２の底部２Ａと対向する。孔部３Ｂ２は、底部３Ｂ１の中央部に位置している。
【００１５】
加熱コイル４は、螺旋状のコイルである。加熱コイル４は、中空部３Ｄに配置されている。加熱コイル４は、例えば底部３Ｂ１に取り付けられる。なお、加熱コイル４は、底部３Ｂ１以外の部分に取り付けられていてもよい。加熱コイル４は、底部３Ｂ１を挟んで調理容器２の底部２Ａに対向している。加熱コイル４には、高周波の電流（電力）が供給される。加熱コイル４は、電磁誘導によって調理容器２を発熱させる。
【００１６】
温度センサ５は、調理容器２の温度を検出する。温度センサ５は、底部３Ｂ１の孔部３Ｂ２に配置されている。温度センサ５は、調理容器２の底部２Ａと接触する上面５Ａを備えている。上面５Ａは、筐体３に調理容器２が取り付けられていてもいなくても、底部３Ｂ１の上面ＵＰよりも上側に位置している。温度センサ５は、圧縮バネ６に取り付けられている下面５Ｂを備えている。温度センサ５の下部には、圧縮バネ６が取り付けられている。
【００１７】
圧縮バネ６は、温度センサ５を支持する。圧縮バネ６は、中空部３Ｄに配置されている。圧縮バネ６は、温度センサ５の下側に位置している。調理容器２が筐体３に取り付けられると、調理容器２の重みによって圧縮バネ６が縮む。このように、圧縮バネ６が縮むことで、調理容器２を筐体３に取り付けたときに、調理容器２の底部２Ａが破損すること及び温度センサ５の上面５Ａが破損すること、を回避することができる。また、圧縮バネ６が縮むことで、温度センサ５は圧縮バネ６に上側に押される。このため、調理容器２の底部２Ａと温度センサ５の上面５Ａとの接触がより確実となり、温度センサ５の調理容器２の温度の検出精度の低下を抑制することができる。
【００１８】
内蓋７は、例えば椀状に構成される。内蓋７は、例えば外蓋８に着脱自在に固定される。内蓋７は、調理容器２の開口部２Ｃに設けられている。内蓋７は、調理容器２の開口部２Ｃを閉塞する。内蓋７が調理容器２の開口部２Ｃを閉塞した状態では、内蓋７及び調理容器２には、調理空間ＳＰが形成される。外蓋８には開口部７Ｃ及び開口部７Ｄが形成されている。開口部７Ｃにはポンプ１４が配置され、開口部７Ｄには圧力センサ１８が配置されている。内蓋７は、本発明の閉塞手段に対応する構成である。
【００１９】
外蓋８は、例えば椀状に構成される。外蓋８は、例えばヒンジ等を介して筐体３に取り付けられる。外蓋８がヒンジによって筐体３に取り付けられている場合には、外蓋８はヒンジを支点として回転する。外蓋８を開閉することで、外蓋８に固定された内蓋７が外蓋８とともに移動する。すなわち、外蓋８を開くことで、内蓋７が調理容器２の開口部２Ｃを開放する。また、外蓋８を閉じることで、内蓋７が調理容器２の開口部２Ｃを閉塞する。外蓋８には開口部８Ｂ及び開口部８Ｃが形成されている。開口部８Ｂにはポンプ１４が配置され、開口部８Ｃには圧力センサ１８が配置されている。
【００２０】
内蓋７の内周面７Ａには、パッキン９が取り付けられている。パッキン９は、調理空間ＳＰの密閉性を向上させるシール部材である。内蓋７が調理容器２の開口部２Ｃを閉塞している状態では、パッキン９は、フランジ２Ｄに配置されている。パッキン９は、内蓋７の内周面７Ａと調理容器２のフランジ２Ｄとの間の隙間を埋めている。
【００２１】
内蓋７の下面７Ｅには、カバー１９が設けられている。カバー１９は、内蓋７のうち開口部７Ｃ、開口部７Ｄ及び通気孔１０の形成された部分に対向して設けられている。
【００２２】
内蓋７には、通気孔１０が形成されている。通気孔１０は、内蓋７を貫通している。また、外蓋８には、カートリッジ２０が設けられている。カートリッジ２０は、蒸気を冷却する機能を有する。カートリッジ２０には、蒸気が通過する蒸気通路ＰＳ１が形成されている。カートリッジ２０には、蒸気孔２０Ａ及び蒸気孔２０Ｂが形成されている。外蓋８の下面８Ａと内蓋７の上面７Ｂとの間には、蒸気通路ＰＳ２が形成されている。調理空間ＳＰ内の蒸気は、通気孔１０、蒸気通路ＰＳ２、蒸気孔２０Ｂ、蒸気通路ＰＳ１及び蒸気孔２０Ａを介して流出する。以下の説明において、通気孔１０、蒸気通路ＰＳ２、蒸気孔２０Ｂ、蒸気通路ＰＳ１及び蒸気孔２０Ａは、通気経路とも称する。通気経路は、調理容器２内で発生した蒸気を調理器１００の外部へ排出する。通気経路は、調理容器２内の調理空間ＳＰと調理器１００外の空間とを繋ぐ経路である。
【００２３】
調圧部１２は、例えば外蓋８に取り付けられている。調圧部１２は、蒸気通路ＰＳ２に配置されている。調圧部１２は、内蓋７の通気孔１０を開放すること、及び、内蓋７の通気孔１０を閉塞すること、ができる。
【００２４】
調圧部１２は、調圧弁１２ａ及び駆動部１２ｂを備える。内蓋７から調圧弁１２ａが離れている場合には、通気孔１０は開放されている。内蓋７のうち通気孔１０が形成されている部分に調圧弁１２ａが接触している場合には、通気孔１０は閉塞されている。駆動部１２ｂは、調圧弁１２ａの位置を制御して、調圧弁１２ａの開度を変える。より詳細には、駆動部１２ｂは、調圧弁１２ａの上下方向の位置を制御して、調圧弁１２ａの開度を変える。
【００２５】
パッキン１３Ａ、パッキン１３Ｂ及びパッキン１３Ｄは、調理容器２で発生した蒸気が通気経路の外へ漏れることを防止する機能を有する。パッキン１３Ｃは、開口部７Ｃ及び開口部７Ｄから内蓋７の上側へ蒸気が侵入してしまうことを防止する機能を有する。パッキン１３Ａは、内蓋７の上面７Ｂと外蓋８の下面８Ａとの間の隙間を埋めるように配置されている。パッキン１３Ａは外蓋８のうちカートリッジ２０が設けられている部分に配置されている。パッキン１３Ａから調圧部１２までの距離は、蒸気孔２０Ｂから調圧部１２までの距離よりも長くなっている。パッキン１３Ｂは、内蓋７の上面７Ｂと外蓋８の下面８Ａとの間の隙間を埋めるように配置されている。パッキン１３Ｂは調圧部１２に下側に配置されている。パッキン１３Ｃは内蓋７の上面７Ｂと外蓋８の下面８Ａとの間の隙間を埋めるように配置されている。パッキン１３Ｃは開口部７Ｃ及び開口部７Ｄに配置されている。パッキン１３Ｄはカートリッジ２０の下側に配置されている。パッキン１３Ｄは蒸気孔２０Ｂに配置されている。
【００２６】
ポンプ１４は、調理空間ＳＰの空気を吸引し、調理空間ＳＰの外部へ排出する機能を有する。つまり、ポンプ１４は、調理容器２内を減圧することができる。ポンプ１４は、調理容器２内の圧力を大気圧未満の圧力にすることができる。ここで、大気圧未満の圧力を負圧とも称する。ポンプ１４は、内蓋７及び外蓋８に取り付けられている。ポンプ１４は、内蓋７の開口部７Ｃ及び外蓋８の開口部８Ｂに設けられている。ポンプ１４は、調理容器２の上側に配置されている。ポンプ１４の周りには、パッキン１３Ｃが配置されている。
【００２７】
操作表示部１５は、例えばスイッチを備える。また、操作表示部１５は、例えば液晶画面を備える。操作表示部１５のスイッチは、例えば使用者が調理器１００を使用する際に操作される。操作表示部１５の液晶画面は、例えば調理器１００の動作状態を表示する。操作表示部１５は、例えば外蓋８の外側面に設けられている。なお、操作表示部１５は、例えば筐体３に設けられていてもよい。
【００２８】
圧力センサ１８は、内蓋７及び外蓋８に取り付けられている。圧力センサ１８は、制御装置１６に接続される。圧力センサ１８の検出圧力は制御装置１６に出力される。制御装置１６には、例えば予め定められた圧力Ｐが記憶されている。この予め定められた圧力Ｐは、後述する染み込みモード及び真空保存モードで用いられる。調理器１００には圧力センサ１８が設けられているので、例えば気候といった使用環境に依らず、調理容器２内の減圧を精度よく行うことができる。
【００２９】
カバー１９は、調味液がポンプ１４、圧力センサ１８及び調圧部１２に付着することを防止する機能を有する。カバー１９は、例えば下面が閉塞されてかつ側面が開口した形状を有する。調理器１００にはカバー１９が設けられているので、例えばポンプ１４が調味液を吸引してしまうことを防止することができる。つまり、調理器１００は、ポンプ１４が故障してしまうことを抑制することができる。カバー１９は、調圧部１２に調味液が付着すること、及び、圧力センサ１８に調味液が付着すること、を防止することができる。
【００３０】
図２は、調圧部１２の説明図である。図２（ａ）は調圧弁１２ａの開度が全開の状態を示し、図２（ｃ）は調圧弁１２ａの開度が全閉の状態を示している。また、図２（ｂ）は調圧弁１２ａの開度が全開と全閉との間の開度となっている状態を示している。調圧部１２が調圧弁１２ａで通気孔１０を塞ぐことにより、調理空間ＳＰは密閉される。また、調圧部１２が通気孔１０から調圧弁１２ａを離して通気孔１０を開放することにより、調理空間ＳＰは通気経路と連通する。通気経路の圧力は常圧（大気圧）であるため、調理空間ＳＰが通気経路と連通すると、調理空間ＳＰの圧力は常圧となる。
【００３１】
ここで、調圧弁１２ａの開度が全閉であるときの調圧弁１２ａの開度を第１の開度とする。また、調圧弁１２ａの開度が全開であるときの調圧弁１２ａの開度を第２の開度とする。更に、第１の開度よりも大きく第２の開度よりも小さい調圧弁１２ａの開度を第３の開度とする。調圧部１２は、調圧弁１２ａの開度を、第１の開度（図２（ｃ）参照）と第２の開度（図２（ａ）参照）と第３の開度（図２（ｂ））とに、切替可能に構成されている。つまり、調圧部１２は、図２（ｂ）に示すように、調圧弁１２ａの開度を、全開とするだけでなく、全開と全閉との間の中間的な開度とすることもできる。
【００３２】
制御装置１６が調圧部１２の駆動部１２ｂを制御することで、駆動部１２ｂが調圧弁１２ａを移動させる。駆動部１２ｂは調圧弁１２ａを予め定められた速度で移動させることができる。また、駆動部１２ｂは調圧弁１２ａを予め定められた位置に移動させることができる。具体的には、調圧弁１２ａは、通気孔１０を全閉とする第１の位置と、通気孔１０を全開とする第２の位置と、調圧弁１２ａの開度を第３の開度とする第３の位置と、に移動自在である。第３の位置は第１の位置よりも通気孔１０から離れており、第２の位置は第３の位置よりも通気孔１０から離れている。つまり、第３の位置は第１の位置よりも上側であり、第２の位置は第３の位置よりも上側である。
【００３３】
駆動部１２ｂが調圧弁１２ａの位置を変更することにより、調圧弁１２ａの開度が変わる。調圧弁１２ａの開度が変わることにより、調理器１００は調理容器２内の圧力を変えることができる。また、調圧弁１２ａの開度が変わることにより、調理器１００は調理容器２内の圧力の上昇速度を変えることができる。
【００３４】
図２（ｃ）に示すように、通気孔１０が閉塞している状態で、ポンプ１４を駆動すると調理容器２内の圧力が常圧よりも低くなる。つまり、調理容器２内の圧力が負圧になる。調理容器２内の圧力が負圧になった状態で、図２（ｂ）に示すように、駆動部１２ｂが調圧弁１２ａの位置を第１の位置から第３の位置へ移動すると、調理容器２内の圧力は第１の上昇速度で上昇する。また、調理容器２内の圧力が負圧になった状態で、図２（ａ）に示すように、駆動部１２ｂが調圧弁１２ａの位置を第１の位置から第２の位置へ移動すると、調理容器２内の圧力は第２の上昇速度で上昇する。ここで、第２の上昇速度の方が第１の上昇速度よりも高い。
【００３５】
次に、調圧弁１２ａの開度と通気孔１０の開口面積との関係について説明する。調圧弁１２ａの開度と通気孔１０の開口面積とは対応関係にある。調圧弁１２ａが通気孔１０を全閉とするとき、すなわち調圧弁１２ａの開度が第１の開度であるとき、通気孔１０の開口面積は０である。また、調圧弁１２ａが通気孔１０を全開とするとき、すなわち調圧弁１２ａの開度が第２の開度であるとき、通気孔１０の開口面積を開口面積Ｓとする。更に、調圧弁１２ａの開度が第３の開度であるとき、通気孔１０の開口面積を開口面積Ｓ’とする。ここで、開口面積Ｓは開口面積Ｓ’よりも広い。
【００３６】
なお、調理容器２内の圧力の上昇速度は次のように制御することもできる。つまり、駆動部１２ｂが調圧弁１２ａを移動させる速度を変えることで、調理容器２内の圧力の上昇速度を変えることができる。調圧弁１２ａを例えば第３の位置から第２の位置へ移動させる場合には、調圧弁１２ａを第１の移動速度で移動させた場合の圧力の上昇速度よりも、調圧弁１２ａを第１の移動速度よりも低い第２の移動速度で移動させた場合の圧力の上昇速度の方が、低くなる。
【００３７】
このように、調理器１００は調圧弁１２ａの開度（通気孔１０の開口面積）を変えることで、調理容器２内の圧力の上昇速度を変えることができる。通気孔１０の開口面積は、調理容器２内の収容物及び調理器１００が載置された空間の温度に依らない。このため、調理容器２内の収容物及び調理器１００が載置された空間の温度によって、圧力の上昇速度の制御の精度が低減してしまうことを抑制することができる。
【００３８】
図３は、実施の形態の調理器１００のシステム構成の概略を示す図である。調理器１００は、制御装置１６及びインバータ１７を備える。制御装置１６及びインバータ１７は、本体１の例えば筐体３内に設けられている。なお、制御装置１６及びインバータ１７は、例えば筐体３の外部に設けられてもよい。加熱コイル４及びインバータ１７は本発明における圧力変更手段である。
【００３９】
図３に示すように、制御装置１６は、温度センサ５、調圧部１２、ポンプ１４、操作表示部１５及びインバータ１７に接続される。制御装置１６は、例えば温度センサ５が検出した温度に基づいて動作する。また、制御装置１６は、例えば使用者による操作表示部１５の操作に基づいて動作する。更に、制御装置１６は、例えば圧力センサ１８の検出した圧力に基づいて動作する。制御装置１６は、調圧部１２の駆動部１２ｂ、操作表示部１５及びインバータ１７を制御する。
【００４０】
インバータ１７は、図３に示すように、加熱コイル４に接続される。インバータ１７は高周波電流を供給する電源ＡＣに接続されている。制御装置１６は、例えばインバータ１７に、加熱コイル４へ高周波電流を供給させる。これにより、加熱コイル４には高周波磁界が発生する。加熱コイル４に高周波磁界が発生すると、底部３Ｂ１を間に挟んで加熱コイル４に対向する調理容器２の底部２Ａ（図１Ｂ参照）が、加熱コイル４と磁気結合する。加熱コイル４と磁気結合した調理容器２の底部２Ａは、励磁される。これにより、調理容器２の底部２Ａに渦電流が誘起される。
【００４１】
調理容器２の底部２Ａは予め定められた電気抵抗を有する。このため、調理容器２の底部２Ａに渦電流が誘起されると、底部２Ａにジュール熱が生じる。調理容器２は、このジュール熱によって発熱する。調理容器２は、加熱コイル４及びインバータ１７による誘導加熱で発熱する。なお、調理器１００の加熱手段は誘導加熱に限定されない。つまり、加熱コイル４及びインバータ１７の代わりに電熱ヒーター等を本体１に設けてもよい。
【００４２】
次に、上述した図１Ａ、図１Ｂ及び図１Ｃを参照して、調理器１００の動作を説明する。使用者は、調理器１００を使用する際、まず内蓋７及び外蓋８を開ける。使用者は、本体１から調理容器２を取り出す。使用者は、食材等を調理容器２内に入れる。
【００４３】
使用者は、食材等が収容された調理容器２を、本体１の凹状部３Ｂに置く。使用者は、調理容器２を本体１に置いた後、内蓋７及び外蓋８を閉める。内蓋７及び外蓋８が閉められると、パッキン９は、調理容器２のフランジ２Ｄと内蓋７とに挟まれて圧縮される。このとき、パッキン９は、フランジ２Ｄ及び内蓋７に接触している。また、調圧部１２の調圧弁１２ａは、通気孔１０を塞いでいる。パッキン９及び調圧部１２は、調理空間ＳＰの密閉性を向上させている。
【００４４】
使用者は、内蓋７及び外蓋８を閉めた後、操作表示部１５を操作する。使用者は、操作表示部１５のスイッチを操作することによって、調理の条件又は保存の条件を設定する。調理の条件は、各種の構成要素を有する。つまり、調理の条件は、例えば調理容器２内の圧力、調理容器２内の圧力上昇速度、調理時間及び調理温度等が含まれる。また、保存の条件も、各種の構成要素を有する。つまり、保存の条件は、例えば調理容器２内の圧力、調理容器２内の圧力上昇速度及び保存時間等が含まれる。
制御装置１６には、調理の条件に関する各種の構成要素を組み合わせて構成される調理モードが予め記憶されていてもよい。また、制御装置１６には、保存の条件に関する各種の構成要素を組み合わせて構成される保存モードが予め記憶されていてもよい。これにより、使用者は、操作表示部１５を操作して予め記憶されている調理モード及び予め記憶されている保存モードを選択することができる。
【００４５】
使用者は、上述した条件又はモードを設定した後、再び操作表示部１５の動作開始に係るスイッチを操作する。これにより、調理器１００は、食材等の調理又は食材等の保存を開始する。そして、調理器１００は、使用者によって設定された条件又はモードに基づいて、食材等の調理又は保存をする。
【００４６】
図４は、実施の形態の調理器１００が備える染み込みモードの説明図である。なお、図４（ａ）は調理容器２内の圧力を縦軸で示し、経過時間を横軸で示している。図４（ｂ）は通気孔１０の開口面積を縦軸で示し、経過時間を横軸で示している。
図５は、実施の形態の調理器１００が備える真空保存モードの説明図である。なお、図５（ａ）は調理容器２内の圧力を縦軸で示し、経過時間を横軸で示している。図５（ｂ）は通気孔１０の開口面積を縦軸で示し、経過時間を横軸で示している。
【００４７】
染み込みモードは、食材に調味液を染み込ませるモードである。染み込みモードは、短時間で大きな具材に味を染み込ませることができるモードである。また、染み込みモードは、短時間で乾物に水を吸水させることができるモードである。使用者は操作表示部１５のスイッチを操作すると、制御装置１６は染み込みモードを実行する。
【００４８】
染み込みモードが開始すると、制御装置１６が調圧部１２の駆動部１２ｂを制御し、調圧弁１２ａが通気孔１０を閉塞する。また、制御装置１６は、調理容器２内の空間が密閉された状態でポンプ１４を駆動させる。ポンプ１４は、調理空間ＳＰの空気を調理器１００の外部へ排出する。ポンプ１４が駆動することにより、図４（ａ）に示すように、調理容器２内の圧力は大気圧未満、すなわち負圧となる。
【００４９】
ポンプ１４は、調理容器２内の圧力が予め定められた圧力Ｐになるまで駆動させられる。つまり、圧力センサ１８の検出圧力が予め定められた圧力Ｐとなると、制御装置１６はポンプ１４を停止する。予め定められた圧力Ｐは、負圧である。また、予め定められた圧力Ｐは、例えば０．５ａｔｍ以下の圧力である。更に、予め定められた圧力Ｐは本発明における第１の圧力に対応し、常圧は本発明における第２の圧力に対応する。
【００５０】
調理容器２内の圧力がポンプ１４によって負圧にされた後は、制御装置１６が調圧部１２の駆動部１２ｂを制御し、調圧弁１２ａが通気孔１０を開放する。染み込みモードでは、調圧弁１２ａの開度を第１の開度（全閉）から第２の開度（全開）とする。つまり、調理容器２内の圧力が予め定められた圧力Ｐまで低下するまでは、調圧弁１２ａは第１の開度であり、調理容器２内の圧力が予め定められた圧力Ｐに到達すると、調圧弁１２ａが第２の開度となる。このとき、図４（ｂ）に示すように、通気孔１０の開口面積は、０からＳへ拡大する。これにより、調理空間ＳＰの空気は、通気経路を介して、調理器１００の外部へ排出される。また、調理容器２内の圧力は、予め定められた圧力Ｐから常圧になる。調理容器２内の圧力が常圧になると、制御装置１６は染み込みモードを終了する。
【００５１】
染み込みモードでは、調理容器２内の圧力を負圧にしている。これにより、食材の細胞間の空間が拡張される。また、調理容器２内の圧力を負圧にすることにより、食材から、食材に含まれる空気及び食材に含まれる水分等が放出される。これにより、食材中に隙間が生じる。
【００５２】
また、染み込みモードでは、調理容器２内の圧力が負圧の状態から急激に常圧となる。このように、圧力が急激に上昇することにより、減圧によって拡張した食材の細胞間の空間に調味液が浸透する。また、圧力が急激に上昇することにより、減圧によって生じた食材中の隙間に、調味液が浸透する。染み込みモードでは、このようにして調味液が食材に浸透する。
このとき、予め定められた圧力Ｐから常圧に戻るまでの時間Ｔａが短いほど、調味液が食材に浸透する効果が高まる。また、予め定められた圧力Ｐと常圧との差が大きいほど、調味液が食材に浸透する効果が高まる。
【００５３】
一方、真空保存モードは、食材等の酸化を抑制し、また、食材等に微生物が繁殖することを抑制することができるモードである。真空保存モードは、調理空間ＳＰを密閉した状態で調理容器２内を減圧する。調理後の食品を保存する場合及び調理前の仕込み段階の食品を保存する場合には、使用者は、操作表示部１５のスイッチを操作し、制御装置１６に予め記憶された真空保存モードを選択する。
【００５４】
真空保存モードが開始すると、制御装置１６が調圧部１２の駆動部１２ｂを制御し、調圧弁１２ａが通気孔１０を閉塞する。また、制御装置１６は、調理容器２内の空間が密閉された状態でポンプ１４を駆動させる。ポンプ１４は、調理空間ＳＰの空気を調理器１００の外部へ排出する。ポンプ１４が駆動することにより、図５（ａ）に示すように、調理容器２内の圧力は負圧となる。
【００５５】
ポンプ１４は、調理容器２内の圧力が予め定められた圧力Ｐになるまで駆動させられる。つまり、圧力センサ１８の検出圧力が予め定められた圧力Ｐとなると、制御装置１６はポンプ１４を停止する。予め定められた圧力Ｐは、負圧である。
【００５６】
使用者が操作表示部１５のスイッチを操作して真空保存モードの終了を指示すると、制御装置１６が調圧部１２を制御し、調圧弁１２ａが通気孔１０を開放する。
真空保存モードでは、調圧弁１２ａの開度を第１の開度（全閉）から第３の開度とする。つまり、調理容器２内の圧力が予め定められた圧力Ｐまで低下するまでは、調圧弁１２ａは第１の開度である。そして、制御装置１６は調理容器２内の圧力を常圧まで上昇させる指示を操作表示部１５から受け付けると、調圧弁１２ａは第３の開度となる。これにより、図５（ａ）に示すように、調理容器２内の圧力は予め定められた圧力Ｐから１ａｔｍ（常圧）へ緩やかに上昇する。真空保存モードの昇圧時間Ｔｂは、染み込みモードの昇圧時間Ｔａよりも長い。調理容器２内の圧力が常圧になると、制御装置１６は真空保存モードを終了する。
【００５７】
真空保存モードでは調理空間ＳＰ内の酸素を調理器１００の外部へ排出するため、調理容器２の食品が酸化し、食品が劣化してしまうことを抑制することができる。また、真空保存モードでは、調理空間ＳＰが密閉状態であるため、調理空間ＳＰの外部からの微生物の侵入を回避することができる。また、真空保存モードでは、調理空間ＳＰを真空状態にするため、好気性の微生物の繁殖を抑制することができる。つまり、真空保存モードでは、調理容器２の食品の衛生を保つことができる。
【００５８】
食材への調味液の浸透は、経過時間が長いほど浸透が進んでいくため、保存された食材はほぼ飽和状態まで調味液の浸透が進んでいることが多い。そのため、急激に減圧状態から常圧状態に戻しても、更に調味液の浸透が進むことがない。逆に、急激に減圧状態から常圧状態に戻すと、調理容器２及び内蓋７に調味液が飛び散ってしまう場合がある。そうすると、使用者の片付けの際の手間が増えてしまう。また、調理後の軟らかい状態の食材であれば、保存終了時に急激に昇圧すると調味液と一緒に食材も跳ねて、その衝撃で食材が崩れて形が悪くなる可能性がある。真空保存モードでは、上述のように、緩やかに調理容器２内の圧力を上昇させる。このため、調理容器２の調味液が飛び跳ねてしまうことを抑制することができる。したがって、調理器１００は、調理容器２の側壁及び内蓋７の下面が汚れてしまうことを抑制することができ、調理器１００の片付けの際の手間を軽減することができる。また、調理器１００は、食材が崩れて形が悪くなることを抑制することができる。
【００５９】
なお、調理器１００は、調理容器２内の圧力が負圧の状態で収容物の加熱調理を行ってもよい。例えば調理器１００は、調理容器２内の圧力が負圧の状態で、調理容器２内の温度が１００℃よりも低くなっている低温調理を行うことができてもよい。例えば食材が鶏胸肉のようなコラーゲンの少ない肉、ブロッコリー、又は葉物等の軟らかくなりやすい食材に対しては、負圧での低温調理又は常圧での調理がより好適である。調理器１００によって収容物の加熱調理を行う際の調理容器２内の圧力は、使用者が操作表示部１５を操作することによって設定することができる。
【００６０】
負圧から常圧への圧力の上昇速度が切替自在となっておらず、圧力の上昇速度が固定値であり、且つ、その固定値が高い調理器では、短時間に食材の内部まで調味液を浸透させることができても、食材が崩れたり、調味液が飛び散ったりしてしまう。常に圧力の変化速度が小さい調理器では、食材が崩れたり調味液が飛び散ったりすることが防げても短時間に食材の内部まで調味液を浸透させることができない。実施の形態の調理器１００は、調圧弁１２ａの開度、すなわち開口面積の大きさを変えることで、調理容器２内の圧力の上昇速度を切り替えることができる。この調理器１００では、食材の調理条件及び食材の保存条件に応じて、食材への調味液の浸透を起こさせるか、又は、食材が崩れたり容器内が汚れたりすることを抑制するかを選択することができる。このため、調理器１００は、使い勝手がよく、様々な使用シーンに対応することができる。
【００６１】
実施の形態では、染み込みモードにおける圧力の上昇速度と真空保存モードにおける圧力の上昇速度が切替自在となっていることを説明したが、それに限定されない。例えば、食材の種類、調理メニュー、予約時間、調理時間及び保温時間に応じて、負圧から常圧への圧力の上昇速度が切替自在となっていてもよい。
【００６２】
例えば、食材でいえば大根などの野菜類は負圧から常圧への圧力の変化速度を大きくすることで調味液の浸透する効果が出やすく、尚且つ、調味液と一緒に大根が跳ねたとしても、その衝撃で崩れるようなことがない。そのため、食材が野菜の場合は負圧から常圧への圧力の変化速度を大きくすることが好ましい。一方、豆腐は野菜に比べると負圧から常圧への圧力の変化速度を大きくしたとしても調味液の浸透が進みにくく、尚且つ調味液と一緒に豆腐が跳ねるとその衝撃で崩れてしまう。このため、食材が豆腐の場合には、負圧から常圧への圧力の上昇速度を低くすることが好ましい。
【００６３】
また、調理メニューが肉じゃがのような煮物の場合、大きな食材に調味液を浸透させることが美味しさに大きく寄与する場合は負圧から常圧への圧力の変化速度を大きくすることが好ましい。一方、ミートソース及びキーマカレーのように食材が小さな場合には、食材中心まですぐに調味液が浸透するため、常圧への圧力の変化速度を利用して調味液の浸透を促進しても美味しさとして大きな効果がない。むしろ、負圧から常圧への圧力の変化速度を大きくして調味液と一緒に食材が跳ねると、食材が小さいため多量に広範囲に飛び散ってしまうため調理容器２内や内蓋７が大きく汚れてしまい、片付けの手間が増えてしまう。このため、調理容器２内の圧力の上昇速度を低くすることが好ましい。
【００６４】
また、予約時間、調理時間及び保温時間が長い場合には、時間が経過する間に食材へ調味液が浸透するため、常圧への圧力の変化速度を利用して調味液の浸透を促進しても美味しさとして大きな効果がない。むしろ、負圧から常圧への圧力の変化速度を大きくして調味液が跳ねると、調味液が調理容器２内や内蓋７に飛び散って、片付けの手間が増えてしまう。このため、圧力の変化速度を小さくすることが好ましい。
【００６５】
以上のとおり、食材の種類や調理メニュー、予約時間、調理時間及び保温時間によって、好ましい昇圧速度が異なる。このため、制御装置１６の記憶手段が、食材の種類や調理メニュー、予約時間、調理時間及び保温時間ごとに最適な昇圧速度を記憶しているとよい。また、調理器１００は、食材の種類、調理メニュー、予約時間、調理時間及び保温時間を、例えば使用者が操作表示部１５を操作することによって設定することができるとよい。そして、制御装置１６は、設定された情報に基づいて、調理容器２内の圧力の昇圧速度が最適となるように調圧部１２を制御する。
【００６６】
負圧から常圧への圧力の変化量及び変化速度が大きいほど、調味液が食材の内部を移動するエネルギーが大きくなる。調味液が食材の内部を移動するエネルギーを十分に大きくすれば、例えば食材の一部が調味液から出ている場合においても、食材の内部まで調味液を十分に浸透させることができる。
【００６７】
調味液が食材の内部を移動するエネルギーを十分に大きくするためには、例えば減圧時到達圧力Ｐは０．５ａｔｍ以下であるとよい。実施の形態において制御装置１６は、一例として、減圧時到達圧力Ｐが０．５ａｔｍ以下となるようにポンプ１４を駆動させる。
【００６８】
また、調味液が食材の内部を移動するエネルギーを十分に大きくするためには、昇圧時間Ｔａは、一例として５秒以内であるとよい。実施の形態においては、通気孔１０が完全に開放されることによって調理容器２内が昇圧される。調理器１００の外部の空気が調理容器２内へ勢いよく流入することにより、一例として昇圧時間Ｔａは５秒以内の時間となる。逆に、負圧から常圧への圧力の変化速度が大きいほど、食材が崩れたり調味液が飛び散ったりしてしまうので昇圧時間Ｔｂは、一例として１０秒以上であるとよい。
【００６９】
図６は、調理容器２内の圧力を負圧から常圧に戻す場合に、調理容器２内の圧力上昇速度を変えることを説明する図である。負圧から常圧への圧力の変化量が小さい場合はエネルギーが小さいため食材が崩れたり調理容器２内が汚れたりすることはほとんどない。図６に示すように、負圧の圧力Ｐ’（例えば０．９ａｔｍ）から常圧までの圧力の上昇速度は大きくてもエネルギーが小さいため食材が崩れたり容器内が汚れたりすることはほとんどない。なお、圧力Ｐ’が本発明における第３の圧力に対応している。
【００７０】
図６に示すように、圧力Ｐから圧力Ｐ’への昇圧は、圧力Ｐ’から常圧への昇圧と比較すると、圧力の変化量が大きい。圧力Ｐから圧力Ｐ’への昇圧の過程で、食材が崩れたり容器内が汚れたりすることを防ぐため、圧力Ｐから圧力Ｐ’への昇圧では、圧力の上昇速度を低く抑える。なお、この圧力の上昇速度は本発明における第１の上昇速度に対応している。
また、図６に示すように、圧力Ｐ’から常圧への昇圧は、圧力Ｐから圧力Ｐ’への昇圧と比較すると、圧力の変化量が小さい。つまり、圧力Ｐから圧力Ｐ’への昇圧の過程と比較すれば、圧力Ｐ’から常圧への昇圧の過程では、食材が崩れたり容器内が汚れたりしにくい。このため、圧力Ｐ’から常圧への昇圧の過程では圧力の上昇速度を高めることとし、調理器１００は圧力Ｐから常圧に戻るまでにトータルで必要となる時間Ｔｃの時間を短縮している。なお、この圧力の上昇速度が本発明における第２の上昇速度に対応している。
なお、調理容器２内の圧力を負圧から常圧に戻す場合に、調理容器２内の圧力上昇速度を変える態様は、真空保存モード及び染み込みモードのいずれにも適用することができる。
【００７１】
なお、調理容器２内の圧力の上昇速度を切替自在とする手段は、通気孔１０開口面積の大きさを制御するだけに限らない。他の手段として例えば、調理容器２内の収容物を加熱し、発生する水蒸気を利用してもよい。調圧弁１２ａが通気孔１０を閉塞し、調理容器２が密閉された状態で調理容器２を加熱し、水蒸気が発生すると調理容器２内の圧力が徐々に上がる。
【００７２】
図７は、調圧部１２によって調理容器２内の圧力を上昇させる場合、及び、加熱コイル４によって調理容器２内の圧力を上昇させる場合を説明する図である。
図７（ａ１）、図７（ａ２）及び図７（ａ３）は、調圧部１２によって調理容器２内の圧力を上昇させる場合を示している。図７（ａ１）、図７（ａ２）及び図７（ａ３）は、調理容器２内の圧力の上昇速度を上昇速度ｖ１としたときの図である。
図７（ｂ１）、図７（ｂ２）及び図７（ｂ３）は、加熱コイル４によって調理容器２内の圧力を上昇させる場合を示している。図７（ｂ１）、図７（ｂ２）及び図７（ｂ３）は調理容器２内の圧力の上昇速度を上昇速度ｖ２としたときの図である。なお、上昇速度ｖ１の方が上昇速度ｖ２よりも高い。つまり、図７（ａ１）〜図７（ａ３）は調理容器２内の圧力の上昇速度が相対的に高い場合の説明図であり、図７（ｂ１）〜図７（ｂ３）は調理容器２内の圧力の上昇速度が相対的に低い場合の説明図である。
【００７３】
図７（ａ１）及び図７（ｂ１）は調理容器２内の圧力を縦軸で示し、経過時間を横軸で示している。図７（ａ２）及び図７（ｂ２）は通気孔１０の開口面積を縦軸で示し、経過時間を横軸で示している。図７（ａ３）及び図７（ｂ３）は加熱コイル４のＯＮ状態及びＯＦＦ状態を縦軸で示し、経過時間を横軸で示している。
【００７４】
調理容器２内の圧力の上昇速度が高い場合は、図７（ａ１）に示すように、制御装置１６はポンプ１４を制御して調理容器２内の圧力を負圧にする。このとき、制御装置１６は調圧部１２を制御して通気孔１０を全閉とする。その後、図７（ａ２）に示すように、制御装置１６は、調圧部１２を制御して通気孔１０を全開とする。つまり、制御装置１６は、通気孔１０の開口面積をＳとする。これにより、図７（ａ１）に示すように、調理容器２内の圧力は、負圧から常圧になる。このとき、制御装置１６は加熱コイル４を通電しない。
【００７５】
調理容器２内の圧力の上昇速度が低い場合は、図７（ｂ１）に示すように、制御装置１６はポンプ１４を制御して調理容器２内の圧力を負圧にする。調理容器２内の圧力が予め定められた圧力Ｐになると、制御装置１６は、加熱コイル４へ通電を開始する。このとき、制御装置１６は調圧部１２を制御して通気孔１０を全閉とする。加熱コイル４への通電により調理容器２が加熱され、調理容器２内の水分が蒸発する。ここでは、制御装置１６はインバータ１７を制御して、第１の電力を加熱コイル４に供給している。これにより、調理空間ＳＰに水蒸気が発生し、調理容器２内の圧力が上昇する。ここでの圧力の上昇速度は、上述した第１の上昇速度よりも低い第３の上昇速度である。調理容器２内の圧力が常圧になると、制御装置１６は、調圧部１２を制御して通気孔１０を全開とする。
【００７６】
以上の方法であれば、通気孔の開口面積を調節する構成が不要となるため、複雑な構成を取らずに、調理容器２内の圧力の上昇速度を切替自在とすることが出来る。また、通気孔の開口面積を調節する構成が不要となると、調理器１００のサイズを抑えることができ、コンパクトな調理器１００を提供することが出来る。
【００７７】
なお、加熱コイル４を用いて圧力を上昇させる場合においても、図６のように、圧力の上昇速度を切り替えることができる。制御装置１６はインバータ１７を制御して、加熱コイル４に第１の電力よりも大きい第２の電力を供給する。これにより、調理器１００は、圧力の上昇速度を、上述した第２の上昇速度よりも低く、且つ、第３の上昇速度よりも高い、第４の上昇速度とすることができる。つまり、調理器１００は、加熱コイル４に第１の電力を供給して調理容器２内の圧力の上昇速度を第３の上昇速度とし、加熱コイル４に第２の電力を供給して調理容器２内の圧力の上昇速度を第４の上昇速度とすることができる。
【００７８】
なお、調圧部１２は、実施の形態のように調圧弁１２ａを有する調圧部１２に限られない。調圧部は、調理容器２内の圧力が低い状態から高い状態になるまでの圧力上昇速度を変えることができるものであればよい。
【００７９】
なお、調理器１００は、ポンプ１４以外の減圧手段を採用してもよい。例えば、調理器１００は、ポンプ１４を備えない構成でもよく、ポンプとは別手段で負圧状態にしてもよい。具体的には、調理容器２を加熱コイル４で加熱し収容物を沸騰させて調理容器２内の空間が水蒸気で充満された状態で通気孔１０を閉塞し調理容器２を密閉する。そして加熱コイル４への通電を停止すると、調理容器２と調理容器２内の収容物、水蒸気も温度が低下する。水蒸気の温度が低下し水に戻ると調理容器２の調理空間ＳＰの気体（水蒸気）が減ることになるため、調理容器２内の圧力が低下、つまり負圧状態にすることが可能となる。
【００８０】
また、加熱手段を備えない構成でもよく、具体的には例えば漬物を調理・保存する容器としてもよい。短時間に漬物を浸ける場合は、調味液と食材を容器内に入れてポンプ１４で減圧し、その後、調圧部１２で通気孔１０を一気に開放することで負圧状態から急激に常圧に昇圧し調味液の浸透を促進する。こうすることで短時間に漬物を調理することが出来る。
【００８１】
一方、漬物を長時間かけて調理・保存するときは、調味液と食材を容器内に入れて密閉しポンプ１４で減圧した状態でおいておく。こうすると、外部からの雑菌の侵入を防ぎつつ容器内が低酸素状態となることで漬物の風味として重要な乳酸菌が増殖し、衛生的に美味しい漬物を作ることが出来る。そして、容器を開封して食べるときは、負圧状態から常圧に戻すときの圧力上昇速度が小さくなるように調圧部１２で制御することで、昇圧したときに調味液が飛び散ったりせず、余計な洗い物の手間を増やすことがない。
【００８２】
図８は、制御装置１６の構成例を示す図である。制御装置１６の各機能は、例えば処理回路により実現される。処理回路は、専用ハードウェア５０であってもよい。処理回路は、プロセッサ５１及びメモリ５２を備えていてもよい。処理回路は、一部が専用ハードウェア５０として形成され、更にプロセッサ５１及びメモリ５２を備えていてもよい。処理回路が、その一部が専用ハードウェア５０として形成され、プロセッサ５１及びメモリ５２を備えている場合の例を示している。
【００８３】
一部が少なくとも１つの専用ハードウェア５０である処理回路には、例えば、単一回路、複合回路、プログラム化したプロセッサ、並列プログラム化したプロセッサ、ＡＳＩＣ、ＦＰＧＡ、またはこれらを組み合わせたものが該当する。
【００８４】
処理回路が少なくとも１つのプロセッサ５１及び少なくとも１つのメモリ５２を備える場合、制御装置１６の各機能は、ソフトウェア、ファームウェア、またはソフトウェアとファームウェアとの組み合わせにより実現される。ソフトウェア及びファームウェアはプログラムとして記述され、メモリ５２に格納される。プロセッサ５１は、メモリ５２に記憶されたプログラムを読み出して実行することにより、各機能を実現する。
【００８５】
プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータあるいはＤＳＰともいう。メモリ５２には、例えば、ＲＡＭ、ＲＯＭ、フラッシュメモリー、ＥＰＲＯＭ及びＥＥＰＲＯＭ等の、不揮発性または揮発性の半導体メモリ、又は磁気ディスク、フレキシブルディスク、光ディスク、コンパクトディスク、ミニディスク及びＤＶＤ等が該当する。
【００８６】
このように、処理回路は、ハードウェア、ソフトウェア、ファームウェア、またはこれらの組み合わせによって、制御装置１６の各機能を実現することができる。また、調理器１００の構成は、単一の制御装置１６により動作が制御されるものに限定されない。調理器１００は、複数の装置が連携することにより動作が制御されるように構成されてもよい。
【符号の説明】
【００８７】
１  本体、２  調理容器、２Ａ  底部、２Ｂ  周面部、２Ｂ１  側壁、２Ｃ  開口部、２Ｄ  フランジ、３  筐体、３Ａ  外郭部、３Ｂ  凹状部、３Ｂ１  底部、３Ｂ２  孔部、３Ｃ  開口部、３Ｄ  中空部、４  加熱コイル、５  温度センサ、５Ａ  上面、５Ｂ  下面、６  圧縮バネ、７  内蓋、７Ａ  内周面、７Ｂ  上面、７Ｃ  開口部、７Ｄ  開口部、７Ｅ  下面、８  外蓋、８Ａ  下面、８Ｂ  開口部、８Ｃ  開口部、９  パッキン、１０  通気孔、１２  調圧部、１２ａ  調圧弁、１２ｂ  駆動部、１３Ａ〜１３Ｄ  パッキン、１４  ポンプ、１５  操作表示部、１６  制御装置、１７  インバータ、１８  圧力センサ、１９  カバー、２０  カートリッジ、２０Ａ  蒸気孔、２０Ｂ  蒸気孔、５０  専用ハードウェア、５１  プロセッサ、５２  メモリ、１００  調理器、ＰＳ１  蒸気通路、ＰＳ２  蒸気通路、ＳＰ  調理空間、ＵＰ  上面。
【図１Ａ】
2018138084.tif 000003
【図１Ｂ】
2018138084.tif 000004
【図１Ｃ】
2018138084.tif 000005
【図２】
2018138084.tif 000006
【図３】
2018138084.tif 000007
【図４】
2018138084.tif 000008
【図５】
2018138084.tif 000009
【図６】
2018138084.tif 000010
【図７】
2018138084.tif 000011
【図８】
2018138084.tif 000012